(57)【要約】【課題】  パイプの高速連結構造を提供するものである。【解決手段】  内部パイプの固定リングと外部パイプの連接リングを有し、前記内部パイプの固定リングは、内部パイプとコネクタとを固定に連結するものであり、前記内部パイプが外部パイプの内部に設けられ、前記外部パイプの末端に入水用部材又は出水用部材と連結するためのコネクタが設けられ、前記外部パイプの連接リングは、前記コネクタの外周壁に設けられると共に、前記入水用部材又は出水用部材と連結することを特徴とするパイプの高速連結構造を提供する。【選択図】図１
2017044340.tif 000002
【特許請求の範囲】
【請求項１】
内部パイプの固定リングと外部パイプの連接リングを有し、前記内部パイプの固定リングは、内部パイプとコネクタとしっかりと連結固定するものであり、前記内部パイプが外部パイプの内部に設けられ、前記外部パイプの末端に入水用部材又は出水用部材と連結するためのコネクタが設けられ、前記外部パイプの連接リングは、前記コネクタの外周壁に設けられると共に、前記入水用部材又は出水用部材と連結することを特徴とするパイプの高速連結構造。
【請求項２】
前記外部パイプの連接リングの外周側には、位置決め用凸部が設けられ、前記位置決め用凸部の両側位置に対応する前記外部パイプの連接リングの外周側には、固定用突出ピンが対称的に設けられ、前記入水用部材又は出水用部材には、前記位置決め用凸部と互いに嵌合する位置決めガイド溝が形成され、前記入水用部材又は出水用部材には、前記固定用突出ピンと互いに嵌合する位置決め用固定孔が形成されることを特徴とする請求項１に記載のパイプの高速連結構造。
【請求項３】
前記外部パイプの末端には、銅製のカバーが設けられることを特徴とする請求項２に記載のパイプの高速連結構造。
【請求項４】
前記コネクタには封止溝が形成され、前記封止溝には、封止リングが設けられることを特徴とする請求項１に記載のパイプの高速連結構造。
【発明の詳細な説明】
【技術分野】
【０００１】
本発明は、パイプの高速連結構造に関するものである。
【背景技術】
【０００２】
パイプは日常生活によく使用されるものであり、また、蛇口から水が必要な場所に水が流れるために、パイプの長さを伸ばせる連結構造が使用されている。
【発明の概要】
【発明が解決しようとする課題】
【０００３】
しかしながら、従来のパイプの連結構造は、その構成が複雑であり、且つ占用空間が大きい問題があり、更に、その組立てには時間が掛かるだけではなく、パイプの設置空間を大量に占用してしまう課題がある。
【課題を解決するための手段】
【０００４】
前記の課題を鑑み、本発明の目的は、高速に組立てでき、しかも構造が簡単であるパイプの高速連結構造を提供するものである。
【０００５】
前記の課題を解決するために、本発明に係わるパイプの高速連結構造は、内部パイプの固定リングと外部パイプの連接リングを有し、前記内部パイプの固定リングは、内部パイプとコネクタとをしっかりと連結固定するものであり、前記内部パイプは外部パイプの内部に設けられ、前記外部パイプの末端に入水用部材又は出水用部材と連結するためのコネクタと設けられ、前記外部パイプの連接リングは、前記コネクタの外周壁に設けられると共に、前記入水用部材又は出水用部材と連結する。
【０００６】
また、前記外部パイプの連接リングの外周側には、位置決め用凸部が設けられ、前記位置決め用凸部の両側位置に対応する前記外部パイプの連接リングの外周側には、固定用突出ピンが対照的に設けられ、前記入水用部材又は出水用部材には、前記位置決め用凸部と互いに嵌合する位置決めガイド溝が形成され、前記入水用部材又は出水用部材には、前記固定用突出ピンと互いに嵌合する位置決め用固定孔が形成される。
【０００７】
また、前記外部パイプの末端には、銅製のカバーが設けられる。
【０００８】
また、前記コネクタには封止溝が形成され、前記封止溝には、封止リングが設けられる。
【発明の効果】
【０００９】
本発明に係るパイプの高速連結構造は、従来の構成と比較して、下記のようなメリットが有する。
構造が簡単で、占用空間が小さく、しかも組立てが簡便で、使用上の快適性が優れる。
【図面の簡単な説明】
【００１０】
【図１】本発明に係るパイプの高速連結構造を示す断面図である。
【図２】本発明に係るパイプの高速連結構造を示す分解斜視図である。
【図３】図２の一部拡大斜視図である。
【発明を実施するための形態】
【００１１】
本発明の上述の特徴とメリットを更に明らかにするために、具体的な実施例と合わせて添付図面によって詳細に説明するが、本発明は、これらの実施例に限られていない。
【００１２】
図１乃至図３に示すように、本発明に係わるパイプの高速連結構造は、内部パイプの固定リング（６）と外部パイプの連接リング（３）を有し、前記内部パイプの固定リング（６）は、内部パイプ（７）とコネクタ（５）とをしっかりと連結固定するものであり、前記内部パイプ（７）が外部パイプ（１）の内部に設けられ、前記外部パイプ（１）の末端に入水用部材（８）又は出水用部材（９）と連結するためのコネクタ（５）と設けられ、前記外部パイプの連接リング（３）は、前記コネクタ（５）の外周壁に設けられると共に、前記入水用部材（８）又は出水用部材（９）と連結する
【００１３】
本実施例において、前記外部パイプの連接リング（３）の外周側には、位置決め用凸部（３０１）が設けられ、前記位置決め用凸部（３０１）の両側位置に対応する前記外部パイプの連接リング（３）の外周側には、固定用突出ピン（３０２）が対照的に設けられ、前記入水用部材（８）又は出水用部材（９）には、前記位置決め用凸部（３０１）と互いに嵌合する位置決めガイド溝（１０）が形成され、前記入水用部材（８）又は出水用部材（９）には、前記固定用突出ピン（３０２）と互いに嵌合する位置決め用固定孔（１１）が形成される。
【００１４】
本実施例において、前記外部パイプ（１）の末端には、銅製のカバー（２）が設けられる。
【００１５】
本実施例において、前記コネクタ（５）には封止溝が形成され、前記封止溝には、封止リング（４）が設けられる。
【００１６】
以下に、本発明に係わるパイプの高速連結構造の使用方式を説明する。
【００１７】
まず、前記内部パイプの固定リング（６）を通じて前記内部パイプ（７）と前記コネクタ（５）とをしっかりと連結固定し、次に、前記外部パイプの連接リング（３）における二つの固定用突出ピン（３０２）を前記入水用部材（８）又は出水用部材（９）における前記位置決め用固定孔（１１）に嵌め込むことにより連結を完成する。
【００１８】
上述の説明は、本発明の好適な実施例に対する具体的な説明であるが、これらの実施例は本発明における特許請求の範囲を限定するものではなく、本発明の要旨に基づいてこれらの実施例の効果と等しい変形や変更して異なるパイプの高速連結構造を完成することができ、これらの変形や変更は本発明における特許請求の範囲に含まれるべきである。
【符号の説明】
【００１９】
１            外部パイプ
２            銅製のカバー
３            外部パイプの連接リング
３０１            位置決め用凸部
３０２            固定用突出ピン
４            封止リング
５            コネクタ
６            内部パイプの固定リング
７            内部パイプ
８            入水用部材
９            出水用部材
１０            位置決めガイド溝
１１            位置決め用固定孔
【図１】
2017044340.tif 000003
【図２】
2017044340.tif 000004
【図３】
2017044340.tif 000005